(57)【特許請求の範囲】
【請求項１】
リモートラジオユニット（ＲＲＵ）の上位／下位光インターフェース自適応方法であって、
前記ＲＲＵを初期化して、前記ＲＲＵの各光インターフェースの送信をシャットダウンすることと、
前記各光インターフェースの上位／下位コネクションフラグを決定することと、
前記上位／下位コネクションフラグによって、前記ＲＲＵの位相ロッククロックリファレンスソースを決定することと、
位相ロックループがロックされた後、前記各光インターフェースの送信をつけることと、を含み、
前記リモートラジオユニットの上位／下位光インターフェース自適応方法は、ＲＲＵを初期化した後、及び各光インターフェースの送信をつけた後、さらに、
前記各光インターフェースの上位／下位コネクションフラグによって、前記ＲＲＵの現在用いる位相ロッククロックリファレンスソースを切り替える必要があるかを判定する操作を実行する
ことを特徴とするリモートラジオユニットの上位／下位光インターフェース自適応方法。
【請求項２】
前記各光インターフェースにアラームがあるかを判定し、ある場合、対応する光インターフェースの上位／下位コネクションフラグを下位光インターフェースにして、そうではない場合、対応する光インターフェースの上位／下位コネクションフラグを上位光インターフェースにするステップＡ１と、
前記各光インターフェースの上位／下位コネクションフラグが相違しているかを判定し、相違している場合、ステップＡ４を実行し、そうではない場合、ステップＡ３を実行するステップＡ２と、
前記上位／下位コネクションフラグが上位光インターフェースであるかを判定し、そうである場合、ステップＡ４を実行し、そうではない場合、前記各光インターフェースの上位／下位コネクションフラグをデフォルト値にした後、ステップＡ４を実行するステップＡ３と、
前記ＲＲＵの位相ロッククロックリファレンスソースを決定するステップを実行するステップＡ４と、
によって前記ＲＲＵの各光インターフェースの上位／下位コネクションフラグを決定することを特徴とする請求項１に記載のリモートラジオユニットの上位／下位光インターフェース自適応方法。
【請求項３】
ステップＡ１において、対応する光インターフェースにアラームがない場合,ステップ
Ａ２を実行する前に、
対応する光インターフェースが受信した物理層シグナリングに異常があるかを判定し、そうである場合、ステップＡ１４を実行し、そうではない場合、ステップＡ１２を実行するステップＡ１１と、
前記物理層シグナリングのチェックサムを計算し、前記物理層シグナリングの携帯しているチェックサムと、前記算出したチェックサムとが一致しているかを判定し、そうである場合、ステップＡ１３を実行し、そうではない場合、ステップＡ１４を実行するステップＡ１２と、
前記物理層シグナリングの携帯しているＩＤ番号が効果的なＩＤ範囲内にあるかを判定し、そうである場合、前記光インターフェースの上位／下位コネクションフラグを上位光インターフェースにして、ステップＡ２を実行し、そうではない場合、ステップＡ１４を実行するステップＡ１３と、
対応する光インターフェースの上位／下位コネクションフラグを下位光インターフェースにして、ステップＡ２を実行するステップＡ１４と、
をさらに含むことを特徴とする請求項２に記載のリモートラジオユニットの上位／下位光インターフェース自適応方法。
【請求項４】
前記ＲＲＵの位相ロッククロックリファレンスソースが、上位光インターフェースのリカバリクロックであることを特徴とする請求項１に記載のリモートラジオユニットの上位
／下位光インターフェース自適応方法。
【請求項５】
各光インターフェースの上位／下位コネクションフラグを予め設定された回数分、周期的継続して読取り、各回の読取結果が一致しているかを判定し、そうである場合、ステップＢ４を実行し、そうでない場合、ステップＢ２を実行するステップＢ１と、
カウンターに１をプラスし、前記カウンターのカウント値が予め設定された許容回数より大きいかを判定し、そうである場合、ステップＢ３を、そうではない場合、ステップＢ１を実行するステップＢ２と、
前記ＲＲＵを再起動して、終了するステップＢ３と、
カウンターをクリアして、前記各光インターフェースの上位／下位コネクションフラグと前記ＲＲＵの現在用いる位相ロッククロックリファレンスソースとが一致しているかを判定し、そうである場合、切替える必要がなく、そうではない場合、ステップＢ５を実行するステップＢ４と、
前記各光インターフェースの上位／下位コネクションフラグによって、前記ＲＲＵの位相ロッククロックリファレンスソースを改めて決定し、前記ＲＲＵの現在用いる位相ロッククロックリファレンスソースを前記改めて決定された位相ロッククロックリファレンスソースに切り替えるステップＢ５と、
によって、ＲＲＵの現在用いる位相ロッククロックリファレンスソースを切り替える必要があるかを判定することを特徴とする請求項１に記載のリモートラジオユニットの上位／下位光インターフェース自適応方法。
【請求項６】
ＲＲＵであって、
少なくとも二つの光インターフェースを備える光インターフェースモジュールと、
前記ＲＲＵを初期化し、前記光インターフェースモジュールにおける各光インターフェースの送信をシャットダウンするための初期化モジュールと、
各光インターフェースの上位／下位コネクションフラグを決定し記録するための上位／下位光インターフェース自適応モジュールと、
前記上位／下位コネクションフラグによって、前記ＲＲＵの位相ロッククロックリファレンスソースを決定し、位相ロックループがロックされた後、前記各光インターフェースの送信をつけるためのクロックモジュールと、
前記光インターフェースモジュールにおける各光インターフェースの対応する光ファイバリンク上の物理層シグナリングを受信し、前記上位／下位光インターフェース自適応モジュールに転送するためのデータ受送信モジュールと、
前記ＲＲＵの位相ロッククロックリファレンスソースを切り替える必要があるかを判定することと、前記ＲＲＵの位相ロッククロックリファレンスソースを切り替えることとに用いられる前記クロックモジュールと、
を含む
ことを特徴とするＲＲＵ。
【請求項７】
前記上位／下位光インターフェース自適応モジュールは、
前記各光インターフェースにアラームがあるかを判定することと、前記各光インターフェースの上位/下位コネクションフラグが相違しているかを判定することと、前記各光イ
ンターフェースの上位/下位コネクションフラグが相違しない場合に前記上位/下位コネクションフラグが上位光インターフェースであるかを判定することと、対応する光インターフェースにアラームがない場合に対応する光インターフェースの物理層シグナリングに異常があるかを判定することと、前記物理層シグナリングのチェックサムを計算することと、前記物理層シグナリングの携帯しているチェックサムと前記算出したチェックサムとが一致するかを判定することと、前記物理層シグナリングの携帯しているＩＤが効果的なＩＤの範囲内にあるかを判定することと、に用いられる判定サブモジュールと、
前記判定サブモジュールの判定結果によって、各光インターフェースの上位／下位コネクションフラグを記録し、前記各光インターフェースにアラームがある場合、対応する光インターフェースの物理層シグナリングに異常がある場合、前記物理層シグナリングが携帯しているチェックサムと前記算出したチェックサムとが一致しない場合、又は前記物理層シグナリングの携帯しているＩＤが効果的なＩＤ範囲内にない場合に、対応する光インターフェースの上位／下位コネクションフラグを下位光インターフェースにして、前記物理層シグナリングの携帯しているＩＤが効果的なＩＤ範囲内にある場合、対応する光インターフェースの上位／下位コネクションフラグを上位光インターフェースにする上位／下位コネクションフラグサブモジュールと、
を含むことを特徴とする請求項６に記載のＲＲＵ。
【請求項８】
前記クロックモジュールは、
前記各光インターフェースの上位／下位コネクションフラグを読み取るための読取サブモジュールと、
ＲＲＵに位相ロッククロックリファレンスソースを決定するための位相ロッククロックリファレンスソースサブモジュールと、
前記読取サブモジュールの各回の読取結果が一致するかを判定することと、カウンターのカウント値が予め定められた許容回数を超えているかを判定することと、前記各光インターフェースの上位/下位コネクションフラグとＲＲＵの現在使用中の位相ロッククロッ
クリファレンスソースとが一致するかを判定することと、カウンターをクリアすることと、ＲＲＵを再起動することと、ＲＲＵに位相ロッククロックリファレンスソースを切り替えることとに用いられる切替サブモジュールと、
位相ロックループがロックされた後、前記各光インターフェースの送信をつけるための位相ロックサブモジュールと、
を含むことを特徴とする請求項６又は７に記載のＲＲＵ。
【発明の詳細な説明】
【技術分野】
【０００１】
本発明は、通信分野に関し、特には、基地局装置のリモートラジオユニット（Ｒｅｍｏｔｅ  Ｒａｄｉｏ  Ｕｎｉｔ，ＲＲＵ）およびその上位／下位光インターフェース自適応方法に関するものである。
【背景技術】
【０００２】
分散型基地局構成は、ベースバンド信号処理と中間周波数（ＩＦ）・ラジオ周波数（ＲＦ）信号処理とを分離し、光ファイバによりＲＦ部分を遠隔するものである。そのメイン制御部およびベースバンド処理部は、ＢＢＵ（Ｂａｓｅ  Ｂａｎｄ  Ｕｎｉｔ，ＢＢＵ）と言われ、デジタルＩＦ処理およびＲＦ処理部は、ＲＲＵと言われる。
【０００３】
ＢＢＵとＲＲＵは、オープンなインターフェース規格で互いに接続される。通常のインターフェース規格はいずれも、ＢＢＵとＲＲＵとの単一ポイント接続（ｓｉｎｇｌｅ  ｐｏｉｎｔ  ｃｏｎｎｅｃｔｉｏｎ）、マルチポイント接続、星状接続、チェーン接続、環状接続などのような複数種類のネットワークトポロジーをサポート・展開してサポートすることができる。図１は、ＢＢＵとＲＲＵが接続された各ネットワークトポロジーを示す図である。図１（ａ）は単一ポイント接続、（ｂ）はマルチポイント接続、（ｃ）はツリーネットワーク、（ｄ）はチェーンネットワーク、（ｅ）は環状ネットワークを示す。ＢＢＵとＲＲＵは、光ファイバにより物理的に接続され、ＢＢＵとＲＲＵの両方にも２以上の光インターフェースがある。
【０００４】
ＲＲＵにおいて、上位光インターフェースとは、ＢＢＵに接続する光インターフェース又は先行ステージのＲＲＵに接続する光インターフェースであり、下位光インターフェースとは、次のステージのＲＲＵに接続する光インターフェースである。環状ネットワークにおいて、上位光インターフェースとは、ＢＢＵの主要な光インターフェースに接続する光インターフェースであり、下位光インターフェースとは、ＢＢＵの備用な光インターフェースに接続する光インターフェースである。通常の場合、例えば上位光インターフェースを光インターフェース１、下位光インターフェースを光インターフェース２とするように、ＲＲＵの上位/下位光インターフェースと物理光インターフェースの位置が固定化されているが、それは以下のような欠点が存在する。１.光ファイバの接続エラーが発生する場合、ＢＢＵとＲＲＵとの間にリンクが確立できなくなり、工事に便利しない、２.上位/下位光インターフェースが固定化されたことで、環状ネットワークをはじめとする基地局装置の様々なネットワーク構築方式が制限されてしまう、３.ＲＲＵ装置の処理能力の上昇につれて、ＲＲＵに複数の上位光インターフェース及び複数の下位光インターフェースが存在する場合があるが、固定化された光インターフェースによってＲＲＵの複数光インターフェースの利用が制限されてしまう、４．通信を中断せずに光ファイバのホットスワップをすることも上位/下位光インターフェースの自適応が必要とされる。従って、光インターフェースの自適応技術は実際の基地局装置の応用において、重大な意義を持っている。
【発明の概要】
【発明が解決しようとする課題】
【０００５】
本発明は、既存技術におけるＲＲＵの上位/下位光インターフェースと物理光インターフェースの固定化による上記欠陥を克服するために、ＲＲＵ及び上位/下位光インターフェースの自適応方法を提供することを目的の一つとする。本発明は良好な適応性を備え、本発明によると、上位/下位光インターフェースを正確に判定することができる。
【課題を解決するための手段】
【０００６】
本発明はＲＲＵの上位/下位光インターフェースの自適応方法を提供し、当該方法は、
前記ＲＲＵを初期化して、前記ＲＲＵの各光インターフェースの送信をシャットダウンすることと、
前記各光インターフェースの上位／下位コネクションフラグを決定することと、
前記上位／下位コネクションフラグによって、前記ＲＲＵの位相ロッククロックリファレンスソースを決定することと、
位相ロックループがロックされた後、前記各光インターフェースの送信をつけることとを含む。
【０００７】
前記各光インターフェースにアラームがあるかを判定し、ある場合、対応する光インターフェースの上位／下位コネクションフラグを下位光インターフェースにして、そうではない場合、対応する光インターフェースの上位／下位コネクションフラグを上位光インターフェースにするステップＡ１と、
前記各光インターフェースの上位／下位コネクションフラグが相違しているかを判定し、相違している場合、ステップＡ４を実行し、そうではない場合、ステップＡ３を実行するステップＡ２と、
前記上位／下位コネクションフラグが上位光インターフェースであるかを判定し、そうである場合、ステップＡ４を実行し、そうではない場合、前記各光インターフェースの上位／下位コネクションフラグをデフォルト値にした後、ステップＡ４を実行するステップＡ３と、
前記ＲＲＵの位相ロッククロックリファレンスソースを決定するステップを実行するステップＡ４と、
によって前記ＲＲＵの各光インターフェースの上位／下位コネクションフラグを決定することが好ましい。
【０００８】
ステップＡ１において、対応する光インターフェースにアラームがない場合,ステップＡ２を実行する前に、
対応する光インターフェースが受信した物理層シグナリングに異常があるかを判定し、そうである場合、ステップＡ１４を実行し、そうではない場合、ステップＡ１２を実行するステップＡ１１と、
前記物理層シグナリングのチェックサムを計算し、前記物理層シグナリングの携帯しているチェックサムと、前記算出したチェックサムとが一致しているかを判定し、そうである場合、ステップＡ１３を実行し、そうではない場合、ステップＡ１４を実行するステップＡ１２と、
前記物理層シグナリングの携帯しているＩＤ番号（Ｉｄｅｎｔｉｔｙ，ＩＤ）が効果的なＩＤ範囲内にあるかを判定し、そうである場合、前記光インターフェースの上位／下位コネクションフラグを上位光インターフェースにして、ステップＡ２を実行し、そうではない場合、ステップＡ１４を実行するステップＡ１３と、
対応する光インターフェースの上位／下位コネクションフラグを下位光インターフェースにして、ステップＡ２を実行するステップＡ１４と、
をさらに含むことが好ましい。
【０００９】
前記ＲＲＵの位相ロッククロックリファレンスソースが、上位光インターフェースのリカバリクロックであることが好ましい。
【００１０】
前記リモートラジオユニットの上位／下位光インターフェース自適応方法は、ＲＲＵを初期化した後、及び各光インターフェースの送信をつけた後、さらに、
前記各光インターフェースの上位／下位コネクションフラグによって、前記ＲＲＵの現在用いる位相ロッククロックリファレンスソースを切り替える必要があるかを判定する操作を実行することが好ましい。
【００１１】
各光インターフェースの上位／下位コネクションフラグを予め設定された回数分、周期的継続して読取り、各回の読取結果が一致しているかを判定し、そうである場合、ステップＢ４を実行し、そうでない場合、ステップＢ２を実行するステップＢ１と、
カウンターに１をプラスし、前記カウンターのカウント値が予め設定された許容回数より大きいかを判定し、そうである場合、ステップＢ３を、そうではない場合、ステップＢ１を実行するステップＢ２と、
前記ＲＲＵを再起動して、終了するステップＢ３と、
カウンターをクリアして、前記各光インターフェースの上位／下位コネクションフラグと前記ＲＲＵの現在用いる位相ロッククロックリファレンスソースとが一致しているかを判定し、そうである場合、切替える必要がなく、そうではない場合、ステップＢ５を実行するステップＢ４と、
前記各光インターフェースの上位／下位コネクションフラグによって、前記ＲＲＵの位相ロッククロックリファレンスソースを改めて決定し、前記ＲＲＵの現在用いる位相ロッククロックリファレンスソースを前記改めて決定された位相ロッククロックリファレンスソースに切り替えるステップＢ５と、
によって、ＲＲＵの現在用いる位相ロッククロックリファレンスソースを切り替える必要があるかを判定することが好ましい。
【００１２】
本発明はさらに、少なくとも二つの光インターフェースを有する光インターフェースモジュールと、初期化モジュール、クロックモジュール、及び上位/下位光インターフェース自適応モジュールを含むＲＲＵを提供する。
【００１３】
前記初期化モジュールは、ＲＲＵを初期化し、前記光インターフェースモジュールにおける各光インターフェースの送信をシャットダウンすることに用いられる。
【００１４】
前記上位/下位光インターフェース自適応モジュールは、各光インターフェースの上位／下位コネクションフラグを決定し記録することに用いられる。
【００１５】
前記クロックモジュールは、前記上位／下位コネクションフラグによって、ＲＲＵの位相ロックロックリファレンスソースを決定し、位相ロックループがロックされた後、前記各光インターフェースの送信をつけることに用いられる。
【００１６】
前記ＲＲＵは、
前記光インターフェースモジュールにおける各光インターフェースの対応する光ファイバリンク上の物理層シグナリングを受信し、前記上位／下位光インターフェース自適応モジュールに転送するためのデータ受送信モジュールと、
前記ＲＲＵの位相ロッククロックリファレンスソースを切り替える必要があるかを判定することと、前記ＲＲＵの位相ロッククロックリファレンスソースを切り替えることとに用いられる前記クロックモジュールと、
をさらに含むことが好ましい。
【００１７】
前記上位／下位光インターフェース自適応モジュールは、
前記各光インターフェースにアラームがあるかを判定することと、前記各光インターフェースの上位/下位コネクションフラグが相違しているかを判定することと、前記各光インターフェースの上位/下位コネクションフラグが相違しない場合に前記上位/下位コネクションフラグが上位光インターフェースであるかを判定することと、対応する光インターフェースにアラームがない場合に対応する光インターフェースの物理層シグナリングに異常があるかを判定することと、前記物理層シグナリングのチェックサムを計算することと、前記物理層シグナリングの携帯しているチェックサムと前記算出したチェックサムとが一致するかを判定することと、前記物理層シグナリングの携帯しているＩＤが効果的なＩＤの範囲内にあるかを判定することと、に用いられる判定サブモジュールと、
前記判定サブモジュールの判定結果によって、各光インターフェースの上位／下位コネクションフラグを記録し、前記各光インターフェースにアラームがある場合、対応する光インターフェースの物理層シグナリングに異常がある場合、前記物理層シグナリングが携帯しているチェックサムと前記算出したチェックサムとが一致しない場合、又は前記物理層シグナリングの携帯しているＩＤが効果的なＩＤ範囲内にない場合に、対応する光インターフェースの上位／下位コネクションフラグを下位光インターフェースにして、前記物理層シグナリングの携帯しているＩＤが効果的なＩＤ範囲内にある場合、対応する光インターフェースの上位／下位コネクションフラグを上位光インターフェースにする前記上位／下位コネクションフラグサブモジュールと、
を含むことが好ましい。
【００１８】
前記クロックモジュールは、
前記各光インターフェースの上位／下位コネクションフラグを読み取るための読取サブモジュールと、
ＲＲＵに位相ロッククロックリファレンスソースを決定するための位相ロッククロックリファレンスソースサブモジュールと、
前記読取サブモジュールの各回の読取結果が一致するかを判定することと、カウンターのカウント値が予め定められた許容回数を超えているかを判定することと、前記各光インターフェースの上位/下位コネクションフラグとＲＲＵの現在使用中の位相ロッククロックリファレンスソースとが一致するかを判定することと、カウンターをクリアすることと、ＲＲＵを再起動することと、ＲＲＵに位相ロッククロックリファレンスソースを切り替えることとに用いられる切替サブモジュールと、
位相ロックループがロックされた後、前記各光インターフェースの送信をつけるための位相ロックサブモジュールと、
を含むことが好ましい。
【発明の効果】
【００１９】
本発明は、ＲＲＵの上位/下位光インターフェースの自適応を実現し、光インターフェースの上位/下位コネクションフラグを正確に判定でき、フラグの安定性を確保することができる。工事、リング型ネットワーク構築の実現、及び多光インターフェースの応用、光ファイバのホットスワップなどのような基地局装置の応用において重大な意義を持っている。本発明は、基地局ネットワークにおけるいかなるカスゲートのＲＲＵに適用し、基地局装置の通信規格、ＢＢＵとＲＲＵとの間のインターフェース規格の制限がなく、良好な適応性を持っている。
【図面の簡単な説明】
【００２０】
【図１】ＢＢＵとＲＲＵが接続された各ネットワークトポロジーを示す図である。
【図２】本発明に係わる方法の第１実施例のフローチャート図である。
【図３】本発明に係わる方法の第２実施例のフローチャート図である。
【図４】本発明に係わるＲＲＵの現在使用中の位相ロッククロックリファレンスソースを切り替える必要があるかを判定する方法の第１実施例のフローチャート図である。
【図５】本発明に係わる前記ＲＲＵの第１実施例の原理ブロック図である。
【図６】本発明に係わる前記ＲＲＵの第２実際例の原理ブロック図である。
【発明を実施するための形態】
【００２１】
以下、図面と好適な実施例を結合して、本発明に係わるＲＲＵ及びその上位/下位光インターフェースの自適応方法について詳しく説明する。
【００２２】
図２は本発明に係わる方法の第１実施例のフローチャート図である。具体的には、以下のステップが含まれる。
【００２３】
ステップＳ２０１：ＲＲＵを初期化して、ＲＲＵの各光インターフェースの送信をシャットダウンする。
【００２４】
本ステップは、ＲＲＵの電源投入時又は再起動（即ち起動）する場合に実行され、ＲＲＵがすでに正常に動作する場合には実行されない。初期化してから、各光インターフェースの送信がシャットダウンされ、送信のみ行われるようにデフォルトされる。この時、各光インターフェースの上位/下位コネクションフラグがデフォルト値であり、上記デフォルト値は需要に応じて予め設定された値であってもよいし、各光インターフェースの前回正常動作時に用いた値であってもよい。
【００２５】
ステップＳ２０２：ＲＲＵの各光インターフェースの上位/下位コネクションフラグを決定する。
【００２６】
本発明において、ＲＲＵの物理光インターフェースが上位光インターフェース又は下位光インターフェースというように固定化されていない。初期化してから、各光インターフェースが上位光インターフェース又は下位光インターフェースにデフォルトされているが、具体的な応用において、デフォルトされた上位光インターフェース又は下位光インターフェースが必ずしも現在の状況に適用するとは限らないため、具体的な状況に応じて、光インターフェースが現在の状況において上位光インターフェースであるか、それとも下位光インターフェースであるかを確定する必要がある。本発明は上位/下位コネクションフラグの形で対応する光インターフェースが上位光インターフェースであるか、それとも下位光インターフェースであるかを標識する。
【００２７】
Ｓ２０３：上記上位/下位コネクションフラグによって、ＲＲＵの位相ロッククロックリファレンスソースを決定する。
【００２８】
ＲＲＵの位相ロッククロックリファレンスソースは上位光インターフェースのリカバリクロックであり、複数の上位光インターフェースがある場合、その中の一つの上位光インターフェースのリカバリクロックを位相ロッククロックリファレンスソースとして選び、選択手法をリアルタイムに設定することができる。
【００２９】
Ｓ２０４：位相ロックループがロックされた後、上記各光インターフェースの送信をつける。
【００３０】
位相ロッククロックリファレンスソースが決定されてから、ＲＲＵクロックをＢＢＵクロックと同期させるように、位相ロックループがロックされることになる。位相ロックループがロックされてから、光インターフェースの送信をつけることができる。この時、光インターフェースが正常動作モードに入り、データの受送信ができるようになる。本ステップはＳ２０１と同様に、ＲＲＵの電源投入時又は再起動する場合のみ実行される。
【００３１】
図３は、本発明に係わる方法の第２実施例を示すフローチャート図である。具体的には、以下のステップが含まれる。
【００３２】
ステップＳ３０１：ＲＲＵを初期化して、ＲＲＵの各光インターフェースの送信をシャットダウンする。
上記第１の実施例と同様に、本ステップは、ＲＲＵの電源投入時又は再起動（即ち起動）する場合に実行され、ＲＲＵがすでに正常に動作している場合には、実行されない。
【００３３】
Ｓ３０２：各光インターフェースにアラームがあるかを判定し、そうである場合、Ｓ３０８を実行し、そうでない場合、ステップＳ３０３を実行する。
【００３４】
Ｓ３０３：前記光インターフェースが受信した物理層シグナリングに異常があるかを判定し、そうである場合、ステップＳ３０８を実行し、そうでない場合はステップＳ３０４を実行する。
【００３５】
Ｓ３０４：前記物理層シグナリングのチェックサムを計算する。
【００３６】
Ｓ３０５：前記物理層シグナリングが携帯しているチェックサムと前記算出したチェックサムとが一致しているかを判定し、そうである場合、ステップＳ３０６を実行し、そうでない場合、Ｓ３０８を実行する。
【００３７】
Ｓ３０６：前記物理層シグナリングが携帯しているＩＤが効果的なＩＤの範囲内にあるかを判定し、そうである場合、ステップＳ３０７を、そうでない場合、Ｓ３０８を実行する。
【００３８】
具体的な応用において、システムが各々のＲＲＵに一つのＩＤを割当て、物理層シグナリングの一つのフィールドとして各クラスＲＲＵに送信し、ＩＤとともに送信されるのがＩＤ割当て規則とＩＤの効果的範囲情報である。光インターフェースが物理層シグナリングを受信した後、ＲＲＵは、その携帯しているＩＤ及びＩＤ効果的範囲情報によって、上記光インターフェースが上位光インターフェースであるか下位光インターフェースであるかを決定するとともに、ＩＤ割当て規則によってＩＤ及びＩＤ範囲情報の転送を行う。
【００３９】
本実施例において、光インターフェースの上位/下位コネクションフラグの正確性及び安定性を確保するために、物理層シグナリングに対して、ダブル判定（即ちステップＳ３０３とステップＳ３０５）が行われている。
【００４０】
通常の場合、ＲＲＵの電源投入時又は再起動（即ち起動）する場合、ステップＳ３０３―Ｓ３０６を実行する必要がない。光インターフェースにアラームがあるかどうかによって、正確な光インターフェース上位/下位コネクションフラグが得られる。即ち、光インターフェースにアラームがある場合、その上位/下位コネクションフラグを下位光インターフェースにして、つまりステップＳ３０８を実行する。光インターフェースにアラームがない場合、その上位/下位コネクションフラグを上位光インターフェースにして、つまりステップＳ３０７を実行する。ただし、ＲＲＵが正常動作してから、光インターフェースの上位/下位コネクションフラグの正確性及び安定性を確保するために、上記ステップＳ３０３―Ｓ３０６を実行することになる。
【００４１】
ステップＳ３０７：前記光インターフェースの上位/下位コネクションフラグを上位光インターフェースにして、Ｓ３０９に進む。
【００４２】
ステップＳ３０８：対応する光インターフェースの上位/下位コネクションフラグを下位光インターフェースにして、ステップＳ３０９を実行する。
【００４３】
ステップＳ３０９：前記各光インターフェースの上位/下位コネクションフラグが相違しているかを判定し、そうである場合ステップＳ３１２を実行し、そうでない場合ステップＳ３１０を実行する。
【００４４】
ステップＳ３１０：前記上位/下位コネクションフラグは、上位光インターフェースであるかを判定し、そうである場合ステップＳ３１２を実行し、そうでない場合、すべての光インターフェースが下位光インターフェースであることになる。この場合、上記判定によって得られた各光インターフェースの上位/下位コネクションフラグが間違っていることとして、ステップＳ３１１を実行する。
【００４５】
ステップＳ３１１：前記各光インターフェースの上位/下位コネクションフラグをデフォルト値にする。
上記デフォルト値は、需要に応じて、予め設定された値であってもよいし、各光インターフェースの前回正常動作時に用いた値であってもよい。
【００４６】
ステップＳ３１２：前記上位/下位コネクションフラグによって、前記ＲＲＵの位相ロッククロックリファレンスソースを決定する。
【００４７】
ステップＳ３１３：位相ロックループがロックされてから、前記各光インターフェースの送信をつける。
【００４８】
本ステップが終了した後、各光インターフェースが正常動作モードに入り、この時、本発明は各光インターフェースの上位／下位コネクションフラグによって、ＲＲＵの現在用いる位相ロッククロックリファレンスソースを切り替える必要があるかを判定する。
【００４９】
図４は、本発明に係わるＲＲＵの現在用いる位相ロッククロックリファレンスソースを切替える必要があるかを判定することを示すフローチャート図である。具体的には、以下のステップが含まれる。
【００５０】
ステップＳ４０１：各光インターフェースの上位/下位コネクションフラグを、予め設定された回数のN回、周期的に継続して読み取る。
本ステップにおいて、各光インターフェースの上位/下位コネクションフラグをＮ回継続して読み取ることは、読み取る過程の揺れによる読み取りミスを防止するためである。
【００５１】
Ｓ４０２：各回の読取結果が一致しているかを判定し、そうである場合ステップＳ４０６を実行し、そうでない場合、ステップＳ４０３を実行する。
各回の読取結果が一致していないことは、各光インターフェースの上位/下位コネクションフラグが不安定であることを表す。
【００５２】
Ｓ４０３：カウンターに１をプラスする。
【００５３】
Ｓ４０４：カウンターのカウント値が予め設定された許容回数Ｈより大きいかを判定し、そうである場合、ステップＳ４０５を実行し、そうでない場合、ステップＳ４０１を実行する。
上記カウント値が予め設定された許容回数Ｈより大きいが、各光インターフェースの上位／下位コネクションフラグが依然として不安定である場合、各光インターフェースの上位／下位コネクションフラグを改めて決定するために、ＲＲＵを再起動する必要がある。
【００５４】
ステップＳ４０５：ＲＲＵを再起動して、終了する。
ＲＲＵを再起動してから、上記ステップＳ３０１から実行する。
【００５５】
ステップＳ４０６：カウンターをクリアする。
【００５６】
ステップＳ４０７：各光インターフェースの上位／下位コネクションフラグがＲＲＵの現在用いる位相ロッククロックリファレンスソースと一致しているかを判定し、そうである場合、ステップＳ４０８を実行し、そうでない場合、ステップＳ４０９を実行する。
【００５７】
ステップＳ４０８：ＲＲＵの現在用いる位相ロッククロックリファレンスソースを切り替える必要がない。
【００５８】
ステップＳ４０９：各光インターフェースの上位／下位コネクションフラグによって、ＲＲＵの位相ロッククロックリファレンスソースを改めて決定する。
【００５９】
ステップＳ４１０：ＲＲＵの現在用いる位相ロッククロックリファレンスソースを上記改めて決定された位相ロッククロックリファレンスソースに切り替える。
【００６０】
本発明において、ＲＲＵを初期化した後、各光インターフェースの上位／下位コネクションフラグにはデフォルト値が与えられるが、この時の各光インターフェースの上位／下位コネクションフラグは現在の最適値ではないため、正確的ではない。この場合に決定された位相ロッククロックリファレンスソースも正確的ではない。上記状況を回避するために、本発明はＲＲＵを初期化してから、ＲＲＵの現在用いる位相ロッククロックリファレンスソースを切り替える必要があるかも判定し、切り替える必要がある場合、新たな位相ロッククロックリファレンスソースが決定されてから切り替え、そうでない場合、現在用いる位相ロッククロックリファレンスソースを維持する。
【００６１】
図５は、本発明に係わるＲＲＵの第１実施例の原理ブロック図であり、少なくとも二つの光インターフェースを有する光インターフェースモジュール１００と、初期化モジュール２００と、データ受送信モジュール３００と、上位／下位光インターフェース自適応モジュール４００及びクロックモジュール５００を含む。
【００６２】
上記初期化モジュール２００は、ＲＲＵを初期化することと、上記光インターフェースモジュールにおける各光インターフェースの送信をシャットダウンすることと、に用いられる。
【００６３】
上記データ受送信モジュール３００は、上記光インターフェースモジュール１００における各光インターフェースの対応するリンク上の物理層シグナリングを受信し、上記上位／下位光インターフェース自適応モジュール４００に転送することに用いられる。
【００６４】
上記上位／下位光インターフェース自適応モジュール４００は、各光インターフェースにアラームがあるかを判定する、および／又は上記物理層シグナリングによって、各光インターフェースの上位／下位コネクションフラグを決定し、記録することに用いられる。
【００６５】
上記クロックモジュール５００は、上記上位／下位コネクションフラグによって上記ＲＲＵの位相ロッククロックリファレンスソースを決定することと、位相ロックループがロックされてから、上記各光インターフェースの送信をつけることと、上記ＲＲＵの位相ロッククロックリファレンスソースを切り替える必要があるかを判定すること、及び上記ＲＲＵの位相ロッククロックリファレンスソースを切り替えることと、に用いられる。
【００６６】
図６は、本発明におけるＲＲＵの第２実施例の原理ブロック図である。実施例１と比較することにより、共通点は、いずれも光インターフェースモジュール１００、初期化モジュール２００、データ受送信モジュール３００、上位／下位光インターフェース自適応モジュール４００、およびクロックモジュール５００を備え、違う点は、上記上位／下位光インターフェース自適応モジュール４００が、サブモジュール４０１と、上位／下位コネクションフラグサブモジュール４０２とを備え、それに対して、上記クロックモジュール５００は、読取サブモジュール５０１、位相ロッククロックリファレンスソースサブモジュール５０２と、切替サブモジュール５０３と、位相ロックサブモジュール５０４とを備えるものである。
【００６７】
上記判定サブモジュール４０１は、前記各光インターフェースにアラームがあるかを判定することと、前記各光インターフェースの上位／下位コネクションフラグが相違しているかを判定し、前記各光インターフェースの上位／下位コネクションフラグが相違しない場合、前記上位／下位コネクションフラグが上位光インターフェースであるかを判定することと、対応する光インターフェースにアラームがない場合、対応する光インターフェースの物理層シグナリングに異常があるかを判定することと、前記物理層シグナリングのチェックサムを計算すること、及び前記物理層シグナリングが携帯しているチェックサムと前記算出したチェックサムとが一致しているかを判定することと、前記物理層シグナリングが携帯しているＩＤが効果的なＩＤの範囲内にあるかを判定することと、に用いられる。
【００６８】
上記上位／下位コネクションフラグサブモジュール４０２は、上記判定サブモジュール４０１の判定結果によって、各光インターフェースの上位／下位コネクションフラグを記録することに用いられる。具体的な記録方法は図３に示すように、前記各光インターフェースにアラームがある場合、対応する光インターフェースの物理層シグナリングに異常がある場合、前記物理層シグナリングが携帯しているチェックサムと前記算出したチェックサムとは一致していない場合、又は前記物理層シグナリングが携帯しているＩＤが効果的なＩＤ範囲内にない場合に、対応する光インターフェースの上位／下位コネクションフラグを下位光インターフェースにして、前記物理層シグナリングが携帯しているＩＤが効果的なＩＤ範囲内にある場合、対応する光インターフェースの上位／下位コネクションフラグを上位光インターフェースにする。
【００６９】
上記読取サブモジュール５０１は、上記上位／下位コネクションフラグサブモジュール４０２から上記各光インターフェースの上位／下位コネクションフラグを読取ることに用いられる。
【００７０】
上記位相ロッククロックリファレンスソースサブモジュール５０２は、上記読取サブモジュール５０１によって読み取られた各光インターフェースの上位／下位コネクションフラグによって、ＲＲＵに位相ロッククロックリファレンスソースを決定することに用いられる。
【００７１】
切替サブモジュール５０３は、上記読取サブモジュール５０１の各回の読取結果が一致しているかを判定することと、カウンターのカウント値が予め設定された許容回数より大きいかどうかを判定することと、上記各光インターフェースの上位／下位コネクションフラグがＲＲＵの現在用いる位相ロッククロックリファレンスソースと一致しているかを判定することと、カウンターをクリアすることと、ＲＲＵを再起動することと、ＲＲＵのために位相ロッククロックリファレンスソースを切り替えることと、に用いられる。
【００７２】
位相ロックサブモジュール５０４は、位相ロックループがロックされた後、上記各光インターフェースの送信をつけることに用いられる。
【００７３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005564120.tif 000002
【図２】
0005564120.tif 000003
【図３】
0005564120.tif 000004
【図４】
0005564120.tif 000005
【図５】
0005564120.tif 000006
【図６】
0005564120.tif 000007